(57)【要約】【課題】下枠において簡易な構造で内外レール間の強度を確保しつつ樹脂材で上面を構成した下枠フラットサッシを提供する。【解決手段】枠体１内に内外障子２、３を引き違い状に納め、下枠１１は内外障子２、３を走行させる内外レール部１１ｂ、１１ｃを備え、上面が室内外に渡って略平坦に形成され、下枠１１は内外レール部１１ｂ、１１ｃ間の上面にアタッチ材３０が取付けられ、アタッチ材３０は内レール部１１ｂと外レール部１１ｃにそれぞれ固定される金属アタッチ材３１と、金属アタッチ材３１を覆うように取付けられる樹脂アタッチ材３２とからなり、樹脂アタッチ材３２は上面３２ａが略平坦状に形成され、内レール部１１ｂ及び外レール部１１ｃの上端と略同じ高さを有してなる。【選択図】図３
2010007410.tif 000002
【特許請求の範囲】
【請求項１】
建物開口部に設けられる枠体内に内外障子を引き違い状に納めてなり、前記枠体を構成する下枠は、前記内外障子を走行させる内外レール部を備えると共に、上面が室内外に渡って略平坦に形成されてなる下枠フラットサッシにおいて、
前記下枠は前記内外レール部間の上面にアタッチ材が取付けられ、該アタッチ材は前記内レール部と外レール部にそれぞれ固定される金属アタッチ材と、該金属アタッチ材を覆うように取付けられる樹脂アタッチ材とからなり、該樹脂アタッチ材は上面が略平坦状に形成されると共に、前記内レール部及び外レール部の上端と略同じ高さを有してなることを特徴とする下枠フラットサッシ。
【請求項２】
前記内障子は室外側部に前記内レール部の上端位置より下方に垂下された室外垂下部を備え、前記金属アタッチ材は前記内レール部に対して係止される内レール固定部を室内端部に有すると共に、該内レール固定部より室外側が略Ｌ字状に形成され、前記金属アタッチ材と内レール部とで凹状の室外凹部を形成し、前記室外垂下部は前記室外凹部に納められ、
前記金属アタッチ材のうち前記室外凹部の室外面を構成する面にはタイト材保持部が設けられ、該タイト材保持部には長手方向に沿って前記内障子の室外垂下部に対して当接自在なタイト材が取付けられることを特徴とする請求項１記載の下枠フラットサッシ。
【請求項３】
前記外障子を構成する下框は金属下框の室内側を樹脂下框で覆ってなり、前記金属下框の室内面は前記樹脂下框の下面より下方に垂下されて下端位置が前記外レール部の上端位置より下方に配置される室内垂下部を備え、
前記金属アタッチ材は前記外レール部に対して係止される外レール固定部を室外端部に有すると共に、該外レール固定部より室内側が略Ｌ字状に形成され、前記金属アタッチ材と外レール部とで凹状の室内凹部を形成し、前記室内垂下部は前記室内凹部に納められ、
前記樹脂下框の下面は前記樹脂アタッチ材の上面に近接対向してなることを特徴とする請求項１または２記載の下枠フラットサッシ。
【発明の詳細な説明】
【技術分野】
【０００１】
本発明は、枠体内に内外障子を引き違い状に納めてなり下枠の上面を略平坦としてなる下枠フラットサッシに関し、特に内外障子を案内する内外レール間の上面を樹脂材で略平坦状に構成した下枠フラットサッシに関する。
【背景技術】
【０００２】
従来、建物開口部に設けられる枠体内に障子を納めてなるサッシにおいて、下枠に設けられる障子用のレール部を室内側の床面と略同じ高さとし、下枠上面を略平坦としてなる下枠フラットサッシが知られている。これは、下枠上面を略平坦とすることにより、サッシ内外を通りやすくし、特に車椅子の走行を容易とするので、バリアフリーに対応することのできるものである。このような下枠フラットサッシとしては、例えば特許文献１に挙げるようなものがある。
【特許文献１】特開２００５−２３２９５２号公報
【発明の開示】
【発明が解決しようとする課題】
【０００３】
従来の下枠フラットサッシは、主に枠体及び障子が金属材により構成されていた。また、障子を安定的に走行させるため、障子の室内側下端部と室外側下端部をそれぞれ延出して延出片を形成し、下枠に設けた凹部内に配置するようにしている。これにより延出片は凹部によって室内外方向に移動が規制されるので、障子の走行時における振れを抑えることができる。
【０００４】
一方で、サッシにおいては断熱性及び意匠性を向上させるために金属材の室内側露出部分に樹脂材を設けてなる複合材を用いた複合サッシが知られている。下枠フラットサッシは、下枠の上面を略平坦状とするため、少なくとも外障子が配置される側においては、外障子の室内側から下枠の室内端部に渡るまで、上面を樹脂材でかつ略平坦となるようにする必要があって、特に内外レール間の強度を確保しつつ樹脂材で上面を構成するには、構造が複雑となりがちであった。
【０００５】
また、従来の下枠フラットサッシは、下枠の凹部が下枠自身によって構成されていたので、凹部の底面はレール部の根元部と同じ高さとなり、凹部が深くなっていた。このため、凹部内に落ちたゴミ等は、下枠の深い位置に溜まることとなり、また凹部自体が屈曲した形状を有していたため清掃が困難であった。
【０００６】
本発明は前記課題を鑑みてなされたものであり、下枠において簡易な構造で内外レール間の強度を確保しつつ樹脂材で上面を構成し、かつ清掃も容易な下枠フラットサッシを提供することを目的とする。
【課題を解決するための手段】
【０００７】
前記課題を解決するため、本発明に係る下枠フラットサッシは、建物開口部に設けられる枠体内に内外障子を引き違い状に納めてなり、前記枠体を構成する下枠は、前記内外障子を走行させる内外レール部を備えると共に、上面が室内外に渡って略平坦に形成されてなる下枠フラットサッシにおいて、
前記下枠は前記内外レール部間の上面にアタッチ材が取付けられ、該アタッチ材は前記内レール部と外レール部にそれぞれ固定される金属アタッチ材と、該金属アタッチ材を覆うように取付けられる樹脂アタッチ材とからなり、該樹脂アタッチ材は上面が略平坦状に形成されると共に、前記内レール部及び外レール部の上端と略同じ高さを有してなることを特徴として構成されている。
【０００８】
また、本発明に係る下枠フラットサッシは、前記内障子は室外側部に前記内レール部の上端位置より下方に垂下された室外垂下部を備え、前記金属アタッチ材は前記内レール部に対して係止される内レール固定部を室内端部に有すると共に、該内レール固定部より室外側が略Ｌ字状に形成され、前記金属アタッチ材と内レール部とで凹状の室外凹部を形成し、前記室外垂下部は前記室外凹部に納められ、
前記金属アタッチ材のうち前記室外凹部の室外面を構成する面にはタイト材保持部が設けられ、該タイト材保持部には長手方向に沿って前記内障子の室外垂下部に対して当接自在なタイト材が取付けられることを特徴として構成されている。
【０００９】
さらに、本発明に係る下枠フラットサッシは、前記外障子を構成する下框は金属下框の室内側を樹脂下框で覆ってなり、前記金属下框の室内面は前記樹脂下框の下面より下方に垂下されて下端位置が前記外レール部の上端位置より下方に配置される室内垂下部を備え、
前記金属アタッチ材は前記外レール部に対して係止される外レール固定部を室外端部に有すると共に、該外レール固定部より室内側が略Ｌ字状に形成され、前記金属アタッチ材と外レール部とで凹状の室内凹部を形成し、前記室内垂下部は前記室内凹部に納められ、
前記樹脂下框の下面は前記樹脂アタッチ材の上面に近接対向してなることを特徴として構成されている。
【発明の効果】
【００１０】
本発明に係る下枠フラットサッシによれば、下枠は内外レール間の上面にアタッチ材が取付けられ、アタッチ材は内レール部と外レール部にそれぞれ固定される金属アタッチ材と、金属アタッチ材を覆うように取付けられる樹脂アタッチ材とからなり、樹脂アタッチ材は上面が略平坦状に形成されると共に、内レール部及び外レール部の上端と略同じ高さを有してなることにより、アタッチ材によって内外障子間の下枠上面を簡易な構造で平坦状とすることができ、枠体内に内外障子を引き違い状に納め、かつ室内側露出部分を樹脂材で構成したサッシを簡易な構造とすることができる。また、アタッチ材は内レール部と外レール部にそれぞれ固定されるので、障子の垂下片を納める凹部を浅くすることができ、また凹部の底面を平坦にすることも容易であるため、凹部内の清掃を容易とすることができる。
【００１１】
また、本発明に係る下枠フラットサッシによれば、金属アタッチ材のうち室外凹部の室外面を構成する面にはタイト材保持部が設けられ、タイト材保持部には長手方向に沿って内障子の室外垂下部に対して当接自在なタイト材が取付けられることにより、枠体と障子の間の気密性を高めると共に、障子が開いた際にはタイト材が室外凹部を覆うため、室外凹部を見えにくくして意匠性を高めることができる。
【００１２】
さらに、本発明に係る下枠フラットサッシによれば、外障子を構成する下框の金属下框の室内面は樹脂下框の下面より下方に垂下されて下端位置が外レールの上端位置より下方に配置される室内垂下部を備え、金属アタッチ材は外レールに対して係止される外レール固定部を室外端部に有すると共に、外レール固定部より室内側が略Ｌ字状に形成され、金属アタッチ材と外レールとで凹状の室内凹部を形成し、室内垂下部は室内凹部に納められ、樹脂下框の下面は樹脂アタッチ材の上面に近接対向してなることにより、室内垂下部を金属材のみで幅細に形成し、室内凹部の幅を狭くして下枠上面をより広くすることができる。また、金属材からなる室内垂下片を樹脂下框により室内側から見えにくくすることができ、室内垂下片を金属下框に形成していても、意匠性を損ねることがないようにすることができる。
【発明を実施するための最良の形態】
【００１３】
本発明の実施形態について、図面に沿って詳細に説明する。図１には本実施形態における下枠フラットサッシの縦断面図を、図２には本実施形態における下枠フラットサッシの横断面図を、それぞれ示している。これら各図に示すように、本実施形態における下枠フラットサッシは、建物開口部に設けられる枠体１内に、内障子２と外障子３を引き違い状に納めて構成されている。
【００１４】
枠体１は、上枠１０と下枠１１及び左右の縦枠１２、１２を方形状に枠組みして構成される。枠体１内に納められる内障子２と外障子３は、上框２０と下框２１、枠側縦框２２及び召合せ框２３を方形状に框組みしてなる框体４内にガラス板からなるパネル体５を納めて構成される。枠体１内において、内障子２は室内側寄りに、外障子３は室外側寄りに、それぞれ納められており、内障子２と外障子３はそれぞれ左右方向に移動し、開閉することができるようにされている。また、枠体１において外障子３のさらに室外側には、網戸６が設けられる。
【００１５】
枠体１を構成する上枠１０は、外周面側において建物躯体に対して固定され、内周面には内案内部１０ｂと外案内部１０ｃが突出状に形成されている。内案内部１０ｂと外案内部１０ｃは、それぞれ内障子２と外障子３を上辺において長手方向に案内する。また、上枠１０は、室外側の金属上枠１０ａと、金属上枠１０ａの室内側露出面を覆う樹脂上枠１３とからなっている。
【００１６】
上枠１０は金属製の金属上枠１０ａが断面中空状に形成され、金属上枠１０ａの外案内部１０ｃより室内側には内案内部１０ｄを有した室内構成部１０ｅが取付けられる。室内構成部１０ｅの内案内部１０ｄの室内面より室内側に前述の樹脂上枠１３が設けられる。室内構成部１０ｅの室内端部は、室内側に延出されて金属アングル部１６ａを構成し、樹脂上枠１３の室内側には、金属アングル部１６ａを覆う樹脂アングル部１６ｂが設けられる。これら金属アングル部１６ａ及び樹脂アングル部１６ｂにより上枠１０の室内端部にはアングル部１６が形成される。
【００１７】
次に、下枠１１の構成について説明する。図３には図１のうち下枠１１付近の拡大図を、図４には下枠１１の分解図を、それぞれ示している。図３に示すように、枠体１を構成する下枠１１は、外周面側において建物躯体に対して固定され、上面には内レール部１１ｂと外レール部１１ｃがそれぞれ突出状に形成される。これら内レール部１１ｂと外レール部１１ｃは上端位置が同じ高さとなるようにされている。
【００１８】
図４に示すように、下枠１１は金属製の金属下枠１１ａが断面中空状に形成され、金属下枠１１ａの上面には室内端部に室内面部１１ｈが、室外端部に室外面部１１ｉが、それぞれ形成されている。室内面部１１ｈと内レール部１１ｂとの間、内レール部１１ｂと外レール部１１ｃとの間、及び外レール部１１ｃと室外面部１１ｉとの間は、それぞれ凹状となるように形成されている。また、金属下枠１１ａの室内面には、樹脂性の防露枠１７が設けられている。
【００１９】
金属下枠１１ａの上面のうち、室内面部１１ｈと内レール部１１ｂとの間には、樹脂下枠１４が設けられる。樹脂下枠１４の上面１４ａは、内レール部１１ｂの上端位置と略同じ高さの平面状とされている。また、樹脂下枠１４の室外端部は、略Ｌ字状をなすように形成されると共に、内レール部１１ｂの室内面に係合固定される。これにより、樹脂下枠１４と内レール部１１ｂとで、凹状の内側室内凹部１１ｄを構成する。
【００２０】
金属下枠１１ａの上面のうち、内レール部１１ｂと外レール部１１ｃとの間には、アタッチ材３０が設けられる。アタッチ材３０は、内レール部１１ｂと外レール部１１ｃとの間を渡すように設けられる金属アタッチ材３１と、金属アタッチ材３１の上面を覆うように設けられて下枠１１上面を構成する樹脂アタッチ材３２とからなっている。金属アタッチ材３１は、室内端部に内レール部１１ｂの室外面と係合固定される内レール固定部３１ａを有し、室外端部に外レール部１１ｃの室内面と係合固定される外レール部固定部３１ｂを有している。
【００２１】
また、金属アタッチ材３１の上面側には、室内外に２条の取付部３１ｃが形成されており、この取付部３１ｃに対して樹脂アタッチ材３２が取付けられる。樹脂アタッチ材３２は、略平面状の上面部３２ａと、上面部３２ａの下面に形成される係合部３２ｂとを有してなり、係合部３２ｂを金属アタッチ材３１の取付部３１ｃに対して係合することにより、樹脂アタッチ材３２を金属アタッチ材３１に取付固定することができる。
【００２２】
樹脂アタッチ材３２を金属アタッチ材３１に取付けた状態において、樹脂アタッチ材３２の上面部３２ａは、下枠１１の内レール部１１ｂ及び外レール部１１ｃの上端位置と略同じ高さに配置される。すなわち、樹脂アタッチ材３２の上面部３２ａは、室内側に設けられる樹脂下枠１４の上面１４ａとも略同じ高さとされ、下枠フラットサッシにおける下枠１１上面を構成する。したがって、アタッチ材３０を取付けることにより容易に下枠１１上面を略平坦状とし、かつ室内露出面を樹脂材で構成した下枠フラットサッシを形成することができる。
【００２３】
金属アタッチ材３１の室内端部側は、略Ｌ字状をなすように形成されて、内レール部１１ｂとの間で凹状の内側室外凹部１１ｅを形成している。また、金属アタッチ材３１のうち、内側室外凹部１１ｅの室外壁を構成する面には、タイト材保持部３１ｄが形成され、このタイト材保持部３１ｄにはタイト材３４が設けられて内障子２の室外面に当接する。一方、金属アタッチ材３１の室外端部側も、略Ｌ字状をなすように形成されて、外レール部１１ｃとの間で凹状の外側室内凹部１１ｆを形成している。
【００２４】
このように、金属アタッチ材３１が内レール部１１ｂと外レール部１１ｃにそれぞれ係合固定されて、それぞれ内側室外凹部１１ｅと外側室内凹部１１ｆの底面を構成するようにしているので、各凹部を浅くすることができ、また凹部の底面を平坦状とすることもできるので、凹部の清掃を容易にすることができる。また、凹部の底面を構成する部分には、排水孔（図示しない）が形成される。排水孔は、凹部内に落ちたゴミを排出するほど大きくは形成されておらず、水のみを下枠下部に導いて排水することができるようにされている。これによって、各凹部内に水が溜まることがないようにしている。
【００２５】
金属下枠１１ａの上面のうち、外レール部１１ｃと室外面部１１ｉとの間には、室外アタッチ材３３が設けられる。室外アタッチ材３３は、室内端部側が外レール部１１ｃと室外面部１１ｉの間に形成された凹部底面に係合され、室外端部側が金属下枠１１ａの室外面部１１ｉに係合し、固定される。室外アタッチ材３３の上面部３３ａは、外レール部１１ｃの上端と略同じ高さを有した略平面状に形成されており、樹脂アタッチ材３２の上面部３２ａや樹脂下枠１４の上面１４ａと略面一状となるようにされている。
【００２６】
室外アタッチ材３３の上面部３３ａには、凹状の網戸レール部３３ｂが形成されており、網戸６を長手方向に案内するようにしている。また、室外アタッチ材３３の室内端部は、略Ｌ字状に形成されて外レール部１１ｃとの間で外側室外凹部１１ｇを形成している。また、室外アタッチ材３３のうち外側室外凹部１１ｇの室外壁を構成する面には、タイト材保持部３３ｃが形成され、このタイト材保持部３３ｃにはタイト材３４が設けられて外障子３の室外面に当接する。
【００２７】
金属下枠１１ａの室内端部には、室内面部１１ｈから室内側に延出される金属アングル部１６ａが形成され、それを覆うように樹脂アングル部１６ｂが設けられ、これら金属アングル部１６ａと樹脂アングル部１６ｂにより下枠１１のアングル部１６を構成している。アングル部１６の上面は、内レール部１１ｂ及び外レール部１１ｃの上端位置と略同じ高さとなる平面状に形成されている。これまで説明した樹脂下枠１４の上面１４ａと、アタッチ材３０の上面部３２ａ、及び室外アタッチ材３３の上面部３３ａは、いずれもアングル部１６の上面と略面一状とされており、したがって下枠１１の上面は室内端部から室外端部に渡るまで、略平坦状となっている。また、これらは内レール部１１ｂ及び外レール部１１ｃの上端位置と略同じ高さとされているため、下枠１１の上面に突出した部分がなく、サッシ内外を通りやすくし、特に車椅子の走行を容易とすることができる。
【００２８】
図２に示すように、枠体１を構成する縦枠１２は、内障子２が配置される側と外障子３が配置される側で形状が異なっている。内障子２が配置される側の縦枠１２は、金属縦枠１２ａと樹脂縦枠１５からなり、金属縦枠１２ａの内障子２と対向する位置には、突出片１２ｂが形成されて、先端が内障子２の外周面に近接する。樹脂縦枠１５は、突出片１２ｂよりも室内側内周面を覆うように設けられる。
【００２９】
一方、外障子３側の縦枠１２は、金属縦枠１２ａと樹脂縦枠１５からなり、金属縦枠１２ａの外障子３と対向する位置には、突出片１２ｂが形成されて、先端が外障子３の外周面に近接する。突出片１２ｂより室内側には、樹脂枠固定部１２ｃが形成されており、樹脂縦枠１５は、樹脂枠固定部１２ｃに固定されて、金属縦枠１２ａの樹脂枠固定部１２ｃより室内側を覆っている。
【００３０】
金属縦枠１２ａの室内側面には樹脂製の防露枠１７が設けられ、また室内端部には、金属アングル部１６ａが形成される。金属アングル部１６ａの内周面側は、樹脂アングル部１６ｂにより覆われており、これら金属アングル部１６ａと樹脂アングル部１６ｂにより縦枠１２のアングル部１６を構成する。
【００３１】
このように、アングル部１６は、枠体１の四周に渡って室内側に向かって突出するように設けられており、枠体１の室内側に四周に渡って設けられる額縁材の内周面に当接し、枠体１と額縁材が連続状となるようにしている。
【００３２】
框体４を構成する上框２０は、室外側の金属上框２０ａと室内側の樹脂上框２０ｂとからなっている。同様に下框２１は金属下框２１ａと樹脂下框２１ｂにより、枠側縦框２２は金属縦框２２ａと樹脂縦框２２ｂにより、召合せ框２３は金属召合せ框２３ａと樹脂召合せ框２３ｂにより、それぞれ構成されている。
【００３３】
内障子２を構成する下框２１は、内レール部１１ｂに載置される戸車２６と、戸車２６よりも室内側が下方に垂下されて、下枠１１の内側室内凹部１１ｄ内に配置される室内垂下片２１ｃと、戸車２６よりも室外側が下方に垂下されて、下枠１１の内側室外凹部１１ｅ内に配置される室外垂下片２１ｄとを有している。
【００３４】
室外垂下片２１ｄは、金属下框２１ａの室外面がそのまま下方に延出されてなり、板状に形成されると共に、内側室外凹部１１ｅ内において内レール部１１ｂと対向する。その対向する室内面には、長手方向に沿ってタイト材を保持可能なタイト材保持部２１ｅが形成される。タイト材保持部２１ｅには、内障子２と枠体１の間の横方向の気密をなす横タイト材２７が取付けられ、横タイト材２７は内レール部１１ｂの室外面に当接することで、気密をなすようにしている。
【００３５】
室内垂下片２１ｃは、金属下框２１ａの室内面がそのまま下方に延出されてなり、板状に形成されると共に、内側室内凹部１１ｄ内において内レール部１１ｂと対向する。下框２１の室内面は、金属下框２１ａの室内側に設けられる樹脂下框２１ｂが構成するが、室内垂下片２１ｃを金属下框２１ａから板状に垂下するようにしたことで、室内垂下片２１ｃの強度を確保しつつ、これを薄くすることができるので、内側室内凹部１１ｄの幅を小さくすることができ、略平坦な下枠上面をより広くすることができて、下枠のフラット性をより高くすることができる。
【００３６】
一方、樹脂下框２１ｂは、下端面２１ｆが室内垂下片２１ｃより上方に位置すると共に、樹脂下枠１４の上面部１４ａに近接対向する。すなわち、樹脂下框２１ｂの下端面２１ｆは、下枠１１の略平坦な上面との間に僅かな隙間を有して対向し、これによって金属材からなる室内垂下片２１ｃが室内側から見えにくくなるようにしている。したがって、室内垂下片２１ｃを金属下框２１ａに形成していても、意匠性を損ねることがない。
【００３７】
また、前述のように金属アタッチ材３１における内側室外凹部１１ｅの室内面を構成する面には、長手方向に沿ってタイト材保持部３１ｄが形成されており、このタイト材保持部３１ｄに対し横方向にタイト材３４が設けられている。タイト材３４は、下框２１の室外垂下片２１ｄの室外面に当接し、内障子２と枠体１の間の気密性をより高くしている。また、タイト材３４はゴムや軟質樹脂など変形自在な材質からなるため、内障子２を開いた際において、タイト材３４は内側室外凹部１１ｅを覆うような形となり、内側室外凹部１１ｅ内を見えにくくして意匠性を向上させることができる。
【００３８】
外障子３を構成する下框２１も、内障子２の下框２１と同じ構成を有しており、室内垂下片２１ｃが外側室内凹部１１ｆ内に配置され、室外垂下片２１ｄが外側室外凹部１１ｇ内に配置される。また、室内垂下片２１ｃは金属下框２１ａが板状に形成されてなり、樹脂下框２１ｂは、下端面２１ｆが室内垂下片２１ｃより上方に位置すると共に、樹脂アタッチ材３２の上面部３２ａに近接対向して、室内垂下片２１ｃが室内側から見えにくくなるようにしている。
【００３９】
また、室外アタッチ材３３に設けられるタイト材３４は、外障子３を構成する下框２１の室外垂下片２１ｄの室外面に当接すると共に、外障子３を開いた際において、外側室外凹部１１ｇを覆うような形となり、外側室外凹部１１ｇを見えにくくして意匠性を向上させることができる。
【００４０】
次に、本発明の第２の実施形態について説明する。第１の実施形態では、枠体１内に内障子２と外障子３を引き違い状に納めたものについて説明したが、枠体１内には３枚以上の障子を納めるようにしてもよい。本実施形態では、枠体１内に３枚の障子を納めたものについて示す。図５には本実施形態における下枠フラットサッシの縦断面図を、図６には本実施形態における下枠フラットサッシの横断面図を、それぞれ示している。
【００４１】
図５及び図６に示すように、枠体１内には、室内側から順に、内障子２と中障子７及び外障子３がそれぞれ走行自在となるように納められる。内障子２と中障子７、及び中障子７と外障子３は、それぞれ引き違い状とされており、内障子２と外障子３は、第１の実施形態と同じものが用いられている。中障子７は、上框２０と下框２１は内障子２及び外障子３と同じ形状であり、内障子２側の縦框は外障子３の召合せ框２３と同じ形状であり、外障子３側の縦框は内障子２の召合せ框２３と同じ形状とされている。
【００４２】
図５に示すように、下枠１１は、内障子２を案内する内レール部１１ｂと、中障子７を案内する中レール部１１ｊと、外障子３を案内する外レール部１１ｃとを上面に有している。内レール部１１ｂと室内面部１１ｈの間には樹脂下枠１４が、内レール部１１ｂと中レール部１１ｊの間と、中レール部１１ｊと外レール部１１ｃの間にはそれぞれアタッチ材３０が、外レール部１１ｃと室外面部１１ｉの間には室外アタッチ材３３が、それぞれ設けられる。
【００４３】
これら樹脂下枠１４とアタッチ材３０及び室外アタッチ材３３によって、下枠１１の上面には室内側から順に内側室内凹部１１ｄ、内側室外凹部１１ｅ、中室内凹部１１ｋ、中室外凹部１１ｍ、外側室内凹部１１ｆ、及び外側室外凹部１１ｇが形成される。各障子の下框２１には、これらに案内される室内垂下片２１ｃ及び室外垂下片２１ｄが形成され、室外垂下片２１ｄにはそれぞれタイト材保持部２１ｅが形成されると共に、タイト材保持部２１ｅには横タイト材２７が設けられて対応するレール部の室外面に当接する。
【００４４】
本実施形態では、アタッチ材３０が２か所に設けられることとなるが、これらはいずれも第１の実施形態のものと同じ形状を有し、内レール部１１ｂと中レール部１１ｊ、及び中レール部１１ｊと外レール部１１ｃに、それぞれ固定されることによって、樹脂アタッチ材３２の上面部３２ａが各レール部の上端位置と略同じ高さとなるように構成されている。したがって、アタッチ材３０を取付けることにより容易に下枠１１上面を略平坦状とし、かつ室内露出面を樹脂材で構成した下枠フラットサッシを形成することができる。
【００４５】
以上、本発明の実施形態について説明したが、本発明の適用は本実施形態には限られず、その技術的思想の範囲内において様々に適用されうるものである。
【図面の簡単な説明】
【００４６】
【図１】第１の実施形態における下枠フラットサッシの縦断面図である。
【図２】第１の実施形態における下枠フラットサッシの横断面図である。
【図３】図１の下枠付近拡大断面図である。
【図４】下枠の分解図である。
【図５】第２の実施形態における下枠フラットサッシの縦断面図である。
【図６】第２の実施形態における下枠フラットサッシの横断面図である。
【符号の説明】
【００４７】
１    枠体
２    内障子
３    外障子
４    框体
５    パネル体
６    網戸
７    中障子
１０    上枠
１０ａ  金属上枠
１０ｂ  内案内部
１０ｃ  外案内部
１１    下枠
１１ａ  金属下枠
１１ｂ  内レール部
１１ｃ  外レール部
１１ｄ  内側室内凹部
１１ｅ  内側室外凹部
１１ｆ  外側室内凹部
１１ｇ  外側室外凹部
１１ｈ  室内面部
１１ｉ  室外面部
１２    縦枠
１２ａ  金属縦枠
１３    樹脂上枠
１４    樹脂下枠
１４ａ  上面部
１５    樹脂縦枠
１６    アングル部
２０    上框
２１    下框
２１ａ  金属下框
２１ｂ  樹脂下框
２１ｃ  室内垂下片
２１ｄ  室外垂下片
２１ｅ  タイト材保持部
２１ｆ  下端面
２２    枠側縦框
２３    召合せ框
３０    アタッチ材
３１    金属アタッチ材
３１ａ  内レール固定部
３１ｂ  外レール固定部
３１ｃ  取付部
３１ｄ  タイト材保持部
３２    樹脂アタッチ材
３２ａ  上面部
３２ｂ  係合部
３３    室外アタッチ材
３３ａ  上面部
３３ｂ  網戸レール部
３３ｃ  タイト材保持部
３４    タイト材
【図１】
2010007410.tif 000003
【図２】
2010007410.tif 000004
【図３】
2010007410.tif 000005
【図４】
2010007410.tif 000006
【図５】
2010007410.tif 000007
【図６】
2010007410.tif 000008